(57)【要約】  本開示の実施形態は、参照信号（ＲＳ）伝送のための方法及び装置に関する。例示的な実施形態では、ネットワークデバイスで実行される方法が提供される。この方法によれば、ネットワークデバイスは、追跡参照信号（ＴＲＳ）を端末デバイスに伝送するための少なくとも１つのＣＳＩ−ＲＳリソースの集合を決定する。ネットワークデバイスはさらに、ＴＲＳの伝送を可能にするための第１の信号を伝送する第１のスロットと、少なくとも１つのＣＳＩ−ＲＳリソースの集合でＴＲＳを伝送する第２のスロットとの間の第１のオフセットを決定する。第１のオフセットは、ＣＳＩ−ＲＳの伝送を可能にするための第２の信号を伝送する第３のスロットと、ＣＳＩ−ＲＳを伝送する第４のスロットとの間の第２のオフセットとは異なる。ネットワークデバイスは、少なくとも１つのＣＳＩ−ＲＳリソースの集合と第１のオフセットを示す構成を端末デバイスに伝送する。【選択図】図５
2021519551.tif 000002
【特許請求の範囲】
【請求項１】
ネットワークデバイスで実行される方法であって、
追跡参照信号（ＴＲＳ：Ｔｒａｃｋｉｎｇ  Ｒｅｆｅｒｅｎｃｅ  Ｓｉｇｎａｌ）を端末デバイスに伝送するための少なくとも１つのチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソースの集合を決定することと、
前記ＴＲＳの伝送を可能にするための第１の信号を伝送する第１のスロットと、前記少なくとも１つのＣＳＩ−ＲＳリソースの集合で前記ＴＲＳを伝送する第２のスロットとの間の第１のオフセットを決定することと、
前記少なくとも１つのＣＳＩ−ＲＳリソースの集合と前記第１のオフセットを示す構成を、前記端末デバイスに伝送することと、
を有し、
前記第１のオフセットは、ＣＳＩ−ＲＳの伝送を可能にするための第２の信号を伝送する第３のスロットと、前記ＣＳＩ−ＲＳを伝送する第４のスロットとの間の第２のオフセットとは異なる方法。
【請求項２】
前記ＴＲＳ及び前記ＣＳＩ−ＲＳは、異なる疑似コロケーション（ＱＣＬ：Ｑｕａｓｉ−Ｃｏ−Ｌｏｃａｔｉｏｎ）パラメータに関連付けられている、請求項１に記載の方法。
【請求項３】
前記少なくとも１つのＣＳＩ−ＲＳリソースの集合を決定することは、
１つ又は複数のスロットにおける前記少なくとも１つのＣＳＩ−ＲＳリソースの集合の分布を決定することを、有し、
前記第１のオフセットを決定することは、
前記分布に基づいて前記第１のオフセットを決定することを、有する
請求項１に記載の方法。
【請求項４】
前記分布は、前記少なくとも１つのＣＳＩ−ＲＳリソースの集合が、１つのスロットに２つの周期的ＣＳＩ−ＲＳリソースを持つ第１のリソース集合を含むことを示し、
前記第１のオフセットを決定することは、
前記第１のリソース集合に基づいて前記第１のオフセットを決定することを、有する
請求項３に記載の方法。
【請求項５】
前記分布は、前記少なくとも１つのＣＳＩ−ＲＳリソースの集合が、２つの連続したスロットに４つの周期的ＣＳＩ−ＲＳリソースを持つ第２のリソース集合を含むことを示し、
前記第１のオフセットを決定することは、
前記２つの連続したスロットのうちの少なくとも１つに基づいて前記第１のオフセットを決定することを、有する
請求項３に記載の方法。
【請求項６】
前記分布は、前記少なくとも１つのＣＳＩ−ＲＳリソースの集合が、１つのスロットに２つの周期的ＣＳＩ−ＲＳリソースをそれぞれ持つ２つのリソース集合を含むことを示し、
前記第１のオフセットを決定することは、
前記２つのリソース集合のうちの少なくとも１つに基づいて、前記第１のオフセットを決定することを、有する
請求項３に記載の方法。
【請求項７】
前記第１のオフセットを決定することは、
前記ＴＲＳについて予め定義された第１の候補オフセットの集合を取得することと、
前記第１の候補オフセットの集合から前記第１のオフセットを決定することと、
を有し、
前記第１の候補オフセットの集合は、前記ＣＳＩ−ＲＳについて予め定義された第２の候補オフセットの集合と少なくとも部分的に異なり、前記第２のオフセットは、前記第２の候補オフセットの集合から決定される
請求項１に記載の方法。
【請求項８】
前記ＴＲＳは非周期的である請求項１に記載の方法。
【請求項９】
前記ＴＲＳは半永続的であり、
前記第１のオフセットを決定することは、
周期的ＴＲＳについて予め構成された第３のオフセットを取得することと、
前記第３のオフセットに基づいて前記第１のオフセットを決定することと、
を有する請求項１に記載の方法。
【請求項１０】
前記ＴＲＳは第１のサブキャリア間隔（ＳＣＳ：Ｓｕｂｃａｒｒｉｅｒ  Ｓｐａｃｉｎｇ）に関連付けられ、前記第１の信号は前記第１のＳＣＳとは異なる第２のＳＣＳに関連付けられ、
前記第１のオフセットを決定することは、少なくとも前記第１のＳＣＳに基づいて前記第１のオフセットを決定することを、有する
請求項１に記載の方法。
【請求項１１】
少なくとも前記構成に基づいて、前記第１の信号及び前記ＴＲＳを前記端末デバイスに伝送することを、さらに有する請求項１に記載の方法。
【請求項１２】
端末デバイスで実行される方法であって、
ネットワークデバイスから追跡参照信号（ＴＲＳ：Ｔｒａｃｋｉｎｇ  Ｒｅｆｅｒｅｎｃｅ  Ｓｉｇｎａｌ）を受信するための少なくとも１つのチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソースの集合、及び、前記ＴＲＳの伝送を可能にするための第１の信号を受信する第１のスロットと、前記少なくとも１つのＣＳＩ−ＲＳリソースの集合で前記ＴＲＳを受信する第２のスロットとの間の第１のオフセットを示す構成を、前記ネットワークデバイスから受信することと、
前記構成に基づいて、前記少なくとも１つのＣＳＩ−ＲＳリソースの集合と前記第１のオフセットを決定することと、
を有し、
前記第１のオフセットは、ＣＳＩ−ＲＳの伝送を可能にするための第２の信号を受信する第３のスロットと、前記ＣＳＩ−ＲＳを受信する第４のスロットとの間の第２のオフセットとは異なる方法。
【請求項１３】
前記ＴＲＳ及び前記ＣＳＩ−ＲＳは、異なる疑似コロケーション（ＱＣＬ）パラメータに関連付けられている、請求項１２に記載の方法。
【請求項１４】
前記ＴＲＳは非周期的である請求項１２に記載の方法。
【請求項１５】
前記ＴＲＳは半永続的である請求項１２に記載の方法。
【請求項１６】
前記ＴＲＳは第１のサブキャリア間隔（ＳＣＳ：Ｓｕｂｃａｒｒｉｅｒ  Ｓｐａｃｉｎｇ）に関連付けられ、前記第１の信号は前記第１のＳＣＳとは異なる第２のＳＣＳに関連付けられ、
前記第１のオフセットを決定することは、少なくとも前記第１のＳＣＳに基づいて前記第１のオフセットを決定することを、有する
請求項１２に記載の方法。
【請求項１７】
少なくとも前記構成に基づいて、前記ネットワークデバイスから前記第１の信号及び前記ＴＲＳを受信することを、さらに有する請求項１２に記載の方法。
【請求項１８】
プロセッサと、
前記プロセッサに接続され、命令が格納されたメモリと、
を備え、
前記命令が前記プロセッサによって実行されると、請求項１〜１１のいずれか一項に記載の方法を実行する、
ネットワークデバイス。
【請求項１９】
プロセッサと、
前記プロセッサに接続され、命令が格納されたメモリと、
を備え、
前記命令が前記プロセッサによって実行されると、請求項１２〜１７のいずれか一項に記載の方法を実行する、
端末デバイス。
【請求項２０】
少なくとも１つのプロセッサで実行されると、前記少なくとも１つのプロセッサに請求項１〜１１のいずれか一項に記載の方法を実行させる命令が格納されたコンピュータ読み取り可能な媒体。
【請求項２１】
少なくとも１つのプロセッサで実行されると、前記少なくとも１つのプロセッサに請求項１２〜１７のいずれか一項に記載の方法を実行させる命令が格納されたコンピュータ読み取り可能な媒体。
【発明の詳細な説明】
【技術分野】
【０００１】
本開示の実施形態は、一般的に、電気通信分野に関し、特に、参照信号構成のための方法及び装置に関する。
【背景技術】
【０００２】
通信技術の発展に伴い、複数のタイプのサービス又はトラフィックが提案されており、例えば、一般的に高いデータレートを必要とする拡張モバイルブロードバンド（ｅＭＢＢ：ｅｎｈａｎｃｅｄ  Ｍｏｂｉｌｅ  Ｂｒｏａｄｂａｎｄ）、通常、長いバッテリー寿命を必要とする大容量マシン型通信（ｍＭＴＣ：ｍａｓｓｉｖｅ  Ｍａｃｈｉｎｅ  Ｔｙｐｅ  Ｃｏｍｍｕｎｉｃａｔｉｏｎｓ）、及び超高信頼性及び低遅延の通信（ＵＲＬＬＣ：Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ）がある。一方、ビーム管理、参照信号（ＲＳ：Ｒｅｆｅｒｅｎｃｅ  Ｓｉｇｎａｌ）伝送などのマルチアンテナ方式は、ニューレディオアクセス（ＮＲ：ｎｅｗ  ｒａｄｉｏ  ａｃｃｅｓｓ）のために研究されている。
【０００３】
ＮＲにおいて、チャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）は、チャネル状態情報（ＣＳＩ：Ｃｈａｎｎｅｌ  Ｓｔａｔｅ  Ｉｎｆｏｒｍａｔｉｏｎ）の取得、ビーム管理、微小時間及び周波数追跡、モビリティなど、さまざまな目的に使用されることが合意されている。例えば、時間及び周波数追跡用のＣＳＩ−ＲＳは「追跡参照信号（ＴＲＳ：Ｔｒａｃｋｉｎｇ  Ｒｅｆｅｒｅｎｃｅ  Ｓｉｇｎａｌ）」とも呼ばれる。ＣＳＩ−ＲＳは、時間領域での挙動によって、周期的ＣＳＩ−ＲＳ（Ｐ−ＣＳＩ−ＲＳ）、非周期的ＣＳＩ−ＲＳ（Ａ−ＣＳＩ−ＲＳ）、半永続的ＣＳＩ−ＲＳ（ＳＰ−ＣＳＩ−ＲＳ）などの種類に分けられることができる。現在の仕様では、Ｐ−ＣＳＩ−ＲＳのみが時間及び周波数追跡に使用可能である。すなわち、現在のところ、周期的ＴＲＳのみがサポートされ得る。
【０００４】
非周期的ＴＲＳをセカンダリセルの活性化の促進に利用可能であることが望ましい。しかし、非周期的ＴＲＳに関する詳細なソリューションはまだ提供されていない。
【発明の概要】
【発明が解決しようとする課題】
【０００５】
概して、本開示の例示的な実施形態は、ＲＳ構成のための方法及び装置を提供する。
【課題を解決するための手段】
【０００６】
第１の態様では、ネットワークデバイスで実行される方法が提供される。この方法によれば、ネットワークデバイスは、ＴＲＳを端末デバイスに伝送するための少なくとも１つのＣＳＩ−ＲＳリソースの集合を決定する。ネットワークデバイスはさらに、ＴＲＳの伝送を可能にするための第１の信号を伝送する第１のスロットと、少なくとも１つのＣＳＩ−ＲＳリソースの集合でＴＲＳを伝送するための第２のスロットとの間の第１のオフセットを決定する。第１のオフセットは、ＣＳＩ−ＲＳの伝送を可能にするための第２の信号を伝送する第３のスロットと、ＣＳＩ−ＲＳを伝送する第４のスロットとの間の第２のオフセットとは異なる。ネットワークデバイスは、少なくとも１つのＣＳＩ−ＲＳリソースの集合と第１のオフセットを示す構成を端末デバイスに伝送する。
【０００７】
第２の態様では、端末デバイスで実行される方法が提供される。この方法によれば、端末デバイスは、ネットワークデバイスからＴＲＳを受信するための少なくとも１つのＣＳＩ−ＲＳリソースの集合、及び、ＴＲＳの伝送を可能にするための第１の信号を受信する第１のスロットと、少なくとも１つのＣＳＩ−ＲＳリソースの集合でＴＲＳを受信するための第２のスロットとの間の第１のオフセットを示す構成を、ネットワークデバイスから受信する。第１のオフセットは、ＣＳＩ−ＲＳの伝送を可能にするための第２の信号を受信する第３のスロットと、ＣＳＩ−ＲＳを受信する第４のスロットとの間の第２のオフセットとは異なる。端末デバイスは、構成に基づいて、少なくとも１つのＣＳＩ−ＲＳリソースの集合と第１のオフセットを決定する。
【０００８】
第３の態様では、ネットワークデバイスが提供される。ネットワークデバイスは、プロセッサと、プロセッサに接続されているメモリとを備える。メモリは、プロセッサによって実行されると、ネットワークデバイスに動作を実行させる命令を格納する。動作は、ＴＲＳを端末デバイスに伝送するための少なくとも１つのＣＳＩ−ＲＳリソースの集合を決定することと、ＴＲＳの伝送を可能にするための第１の信号を伝送する第１のスロットと、少なくとも１つのＣＳＩ−ＲＳリソースの集合でＴＲＳを伝送する第２のスロットとの間の第１のオフセットを決定することと、少なくとも１つのＣＳＩ−ＲＳリソースの集合と第１のオフセットを示す構成を端末デバイスに伝送すること、を有し、第１のオフセットは、ＣＳＩ−ＲＳの伝送を可能にするための第２の信号を伝送する第３のスロットと、ＣＳＩ−ＲＳを伝送する第４のスロットとの間の第２のオフセットとは異なる。
【０００９】
第４の態様では、端末デバイスが提供される。端末デバイスは、プロセッサと、プロセッサに接続されているメモリとを備える。メモリは、プロセッサによって実行されると、端末デバイスに動作を実行させる命令を格納する。動作は、ネットワークデバイスからＴＲＳを受信するための少なくとも１つのＣＳＩ−ＲＳリソースの集合、及び、ＴＲＳの伝送を可能にするための第１の信号を受信する第１のスロットと、少なくとも１つのＣＳＩ−ＲＳリソースの集合でＴＲＳを受信するための第２のスロットとの間の第１のオフセットを示す構成を、ネットワークデバイスから受信することと、構成に基づいて、少なくとも１つのＣＳＩ−ＲＳリソースの集合と第１のオフセットを決定すること、を有し、第１のオフセットは、ＣＳＩ−ＲＳの伝送を可能にするための第２の信号を受信する第３のスロットと、ＣＳＩ−ＲＳを受信する第４のスロットとの間の第２のオフセットとは異なる。
【００１０】
第５の態様では、命令が格納されたコンピュータ読み取り可能な媒体が提供される。命令は、少なくとも１つのプロセッサで実行されると、少なくとも１つのプロセッサに本開示の第１の態様による方法を実行させる。
【００１１】
第６の態様では、命令が格納されたコンピュータ読み取り可能な媒体が提供される。命令は、少なくとも１つのプロセッサで実行されると、少なくとも１つのプロセッサに本開示の第２の態様による方法を実行させる。
【００１２】
第７の態様では、コンピュータ読み取り可能な記憶媒体に有形に格納されたコンピュータプログラム製品が提供される。コンピュータプログラム製品は、少なくとも１つのプロセッサで実行されると、少なくとも１つのプロセッサに本開示の第１の態様または第２の態様による方法を実行させる命令を含む。
【００１３】
本開示の他の特徴は、以下の説明を通して容易に理解可能となる。
【図面の簡単な説明】
【００１４】
添付図面を参照しながら本開示のいくつかの実施形態をより詳細に説明することを通じて、本開示の上記及び他の目的、特徴及び利点がより明らかになる。
【００１５】
【図１】本開示の実施形態が実施され得る通信環境のブロック図である。
【００１６】
【図２】本開示のいくつかの実施にかかるＴＲＳ伝送のためのプロセスを示す。
【００１７】
【図３】本開示のいくつかの実施形態にかかるＴＲＳ伝送の例を示す。
【００１８】
【図４】本開示のいくつかの実施形態にかかるマルチＴＲＰのＣＳＩ測定の例を示す。
【００１９】
【図５】本開示のいくつかの実施形態にかかるＴＲＳ構成のための例示的な方法のフローチャートを示す。
【００２０】
【図６】本開示のいくつかの実施形態にかかるＴＲＳ構成のための例示的な方法のフローチャートを示す。
【００２１】
【図７】本開示の実施形態の実施に適するデバイスの簡略的なブロック図である。
【００２２】
図面全体において、同一又は類似の参照番号は、同一又は類似の要素を表す。
【発明を実施するための形態】
【００２３】
本開示の原理は、いくつかの例示的な実施形態を参照して説明する。これらの実施形態は、例示の目的で記載されるにすぎず、本開示の範囲に関するいかなる制限をするものではなく、当業者が本開示を理解及び実施することを助けることを理解されたい。本明細書で説明される開示は、以下で説明されるもの以外の様々な方法で実施されることができる。
【００２４】
以下の説明及び特許請求の範囲において、別途定義されない限り、本明細書で使用されるすべての技術用語及び科学用語は、本開示が属する技術分野の当業者によって一般的に理解されるものと同じ意味を有する。
【００２５】
本明細書で使用されるとき、「ネットワークデバイス」又は「基地局」（ＢＳ：Ｂａｓｅ  Ｓｔａｔｉｏｎ）という用語は、端末デバイスが通信できるセルやカバレッジを提供し、又はホストできるデバイスを指す。ネットワークデバイスの例として、ノードＢ（ＮｏｄｅＢ又はＮＢ）、Ｅｖｏｌｖｅｄ  ＮｏｄｅＢ（ｅＮｏｄｅＢ又はｅＮＢ）、次世代ＮｏｄｅＢ（ｇＮＢ）、送受信ポイント（ＴＲＰ：Ｔｒａｎｓｍｉｓｓｉｏｎ  Ｒｅｃｅｐｔｉｏｎ  Ｐｏｉｎｔ）、リモート無線ユニット（ＲＲＵ：Ｒｅｍｏｔｅ  Ｒａｄｉｏ  Ｕｎｉｔ）、無線ヘッド（ＲＨ：Ｒａｄｉｏ  Ｈｅａｄ）、リモート無線ヘッド（ＲＲＨ：Ｒｅｍｏｔｅ  Ｒａｄｉｏ  Ｈｅａｄ）、及びフェムトノードやピコノードなどの低電力ノードなどが挙げられるが、それらに限定されない。検討の目的のために、以下、ｇＮＢをネットワークデバイスの例として、いくつかの実施形態を説明する。
【００２６】
本明細書で使用されるとき、「端末デバイス」という用語は、無線又は有線の通信機能を有する任意のデバイスを指す。端末デバイスの例として、ユーザ機器（ＵＥ：Ｕｓｅｒ  Ｅｑｕｉｐｍｅｎｔ）、パーソナルコンピュータ、デスクトップ、移動電話、セルラー電話、スマートフォン、携帯情報端末（ＰＤＡ：Ｐｅｒｓｏｎａｌ  Ｄｉｇｉｔａｌ  Ａｓｓｉｓｔａｎｔ）、ポータブルコンピュータ、デジタルカメラなどの画像キャプチャデバイス、ゲームデバイス、音楽ストレージ及び再生機器、又は無線や有線インターネットアクセス及びブラウジングなどを可能にするインターネット機器が挙げられるが、それらに限定されない。検討の目的のために、以下では、端末デバイスの例としてＵＥを参照していくつかの実施形態を説明する。
【００２７】
本明細書で使用されるとき、単数形「１つ（ａ）」、「１つ（ａｎ）」、及び「上記（ｔｈｅ）」は、文脈からそうでないことが明確に示されていない限り、複数形も含むことを意図している。「含む」という用語及びその変形は、「含むがこれに限定されない」ことを意味するオープンな用語として読まれる。「に基づいて」という用語は、「少なくとも部分的に基づいて」と読まれる。「一実施形態」及び「実施形態」という用語は、「少なくとも一実施形態」と読まれる。「別の実施形態」という用語は、「少なくとも１つの他の実施形態」と読まれる。「第１」、「第２」などの用語は、異なるオブジェクト又は同じオブジェクトを指す。明示的及び暗黙的なその他の定義は、以下に含まれる。
【００２８】
いくつかの例では、値、手順、又は装置は、「最もよい」、「最も低い」、「最も高い」、「最小」、「最大」などと見なされる。このような説明は、多くの使用される機能的選択肢から選択を行うことができることを指し、このような選択は他の選択に比べてより良く、小さく、高く、又はより好ましい必要がないことを意図している。
【００２９】
図１は、本開示の実施形態が実施され得る例示的な通信ネットワーク１００を示す。ネットワーク１００は、ネットワークデバイス１１０と、ネットワークデバイス１１０の配下の端末デバイス１２０とを含む。ネットワーク１００は、端末デバイス１２０にサービスを提供するための少なくとも１つのサービングセル１０２を提供することができる。ネットワークデバイス、端末デバイス及び／又はサービングセルの数は、例示の目的に過ぎず、これらに限定される意味ではないことを理解されたい。ネットワーク１００は、本開示の実装を実施することに適する任意の適切な数のネットワークデバイス、端末デバイス及び／又はサービングセルを含み得る。
【００３０】
例えば、いくつかのシナリオでは、ネットワーク１００において、キャリアアグリゲーション（ＣＡ：ｃａｒｒｉｅｒ  ａｇｇｒｅｇａｔｉｏｎ）をサポートすることができ、この場合、２つ以上のコンポーネントキャリア（ＣＣ：ｃｏｍｐｏｎｅｎｔ  ｃａｒｒｉｅｒ）が、より広い帯域幅をサポートするためにアグリゲーションされる。ＣＡでは、ネットワークデバイス１１０は、端末デバイス１２０にサービスを提供するために、１つのプライマリセル（ＰＣｅｌｌ）及び少なくとも１つのセカンダリセル（ＳＣｅｌｌ）を含む複数のサービングセル（例えば、１ＣＣあたり１つのサービングセル）を提供してもよい。端末デバイス１２０は、ＰＣｅｌｌにおけるネットワークデバイス１１０と無線リソース制御（ＲＲＣ：Ｒａｄｉｏ  Ｒｅｓｏｕｒｃｅ  Ｃｏｎｔｒｏｌ）接続を確立することができる。ネットワークデバイス１１０と端末デバイス１２０との間のＲＲＣ接続が確立され、上位層シグナリングを介してＳＣｅｌｌが活性化されると、ＳＣｅｌｌは、追加の無線リソースを提供することができる。
【００３１】
通信ネットワーク１００において、ネットワークデバイス１１０は、端末デバイス１２０にデータ及び制御情報を通信することができ、端末デバイス１２０はまた、ネットワークデバイス１１０にデータ及び制御情報を通信することができる。ネットワークデバイス１１０から端末デバイス１２０へのリンクをダウンリンク（ＤＬ：ｄｏｗｎｌｉｎｋ）といい、端末デバイス１２０からネットワークデバイス１１０へのリンクをアップリンク（ＵＬ：ｕｐｌｉｎｋ）という。
【００３２】
ネットワーク１００における通信は、任意の適切な規格に準拠してもよく、ここでの規格は、モバイル通信用グローバルシステム（ＧＳＭ：Ｇｌｏｂａｌ  Ｓｙｓｔｅｍ  ｆｏｒ  Ｍｏｂｉｌｅ）、ロングタームエボリューション（ＬＴＥ：Ｌｏｎｇ  Ｔｅｒｍ  Ｅｖｏｌｕｔｉｏｎ）、ＬＴＥエボリューション、ＬＴＥアドバンスト（ＬＴＥ−Ａ：ＬＴＥ−Ａｄｖａｎｃｅｄ）、広帯域符号分割多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）、ＧＥＲＡＮ（ＧＳＭ  ＥＤＧＥ  Ｒａｄｉｏ  Ａｃｃｅｓｓ  Ｎｅｔｗｏｒｋ）などを含むが、これらに限定されない。さらに、通信は、現在知られている、又は将来に開発される任意の世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが含まれるが、これらに限定されない。
【００３３】
通常のデータ通信に加えて、ネットワークデバイス１１０は、ダウンリンクでＲＳを端末デバイス１２０に伝送してもよい。同様に、端末デバイス１２０は、アップリンクでＲＳをネットワークデバイス１１０に伝送してもよい。一般的に言えば、ＲＳは、ネットワークデバイス１１０及び端末デバイス１２０の両方に共有される信号シーケンス（「ＲＳシーケンス」とも称する）である。例えば、ネットワークデバイス１１０があるルールに基づいてＲＳシーケンスを生成して伝送し、端末デバイス１２０が同じルールに基づいてＲＳシーケンスを推定する。ＲＳの例には、ダウンリンク又はアップリンクの復調参照信号（ＤＭＲＳ：Ｄｅｍｏｄｕｌａｔｉｏｎ  Ｒｅｆｅｒｅｎｃｅ  Ｓｉｇｎａｌ）、ＣＳＩ−ＲＳ、サウンディング参照信号（ＳＲＳ：Ｓｏｕｎｄｉｎｇ  Ｒｅｆｅｒｅｎｃｅ  Ｓｉｇｎａｌ）、位相追跡参照信号（ＰＴＲＳ：Ｐｈａｓｅ  Ｔｒａｃｋｉｎｇ  Ｒｅｆｅｒｅｎｃｅ  Ｓｉｇｎａｌ）などが含まれるが、これらに限定されない。限定を示唆することなく検討の目的のために、以下の説明では、ＣＳＩ−ＲＳをＲＳの例として、いくつかの実施形態を説明する。ＣＳＩ−ＲＳの伝送に先立って、ネットワークデバイス１１０は、伝送のための対応するリソース（「ＣＳＩ−ＲＳリソース」とも称する）を割り当ててもよい。本明細書で使用されるとき、ＣＳＩ−ＲＳリソースは、時間領域、周波数領域、及び／又は符号領域において、ＣＳＩ−ＲＳ伝送のために割り当てられた１つ又は複数のリソース要素（ＲＥ：Ｒｅｓｏｕｒｃｅ  Ｅｌｅｍｅｎｔ）を指す。
【００３４】
ＮＲにおいて、ＣＳＩ−ＲＳは、チャネル測定（例えば、ＣＳＩ取得）、ビーム管理、微小時間及び周波数追跡、モビリティなど、様々な目的に使用され得ることが合意されている。ＣＳＩ−ＲＳは、時間領域での挙動によって、周期的ＣＳＩ−ＲＳ（Ｐ−ＣＳＩ−ＲＳ）、非周期的ＣＳＩ−ＲＳ（Ａ−ＣＳＩ−ＲＳ）、半永続的ＣＳＩ−ＲＳ（ＳＰ−ＣＳＩ−ＲＳ）などの種類に分けられることができる。本明細書で使用されるとき、「Ｐ−ＣＳＩ−ＲＳ」とは、時間領域で周期的に伝送されるＣＳＩ−ＲＳを指す。「ＳＰ−ＣＳＩ−ＲＳ」は、ＳＰ−ＣＳＩ−ＲＳの伝送が１つの信号によって活性化され、別の信号によって非活性化され得ること以外、Ｐ−ＣＳＩ−ＲＳと類似している。「Ａ−ＣＳＩ−ＲＳ」とは、トリガーシグナリング（ダウンリンク制御情報（ＤＣＩ：Ｄｏｗｎｌｉｎｋ  Ｃｏｎｔｒｏｌ  Ｉｎｆｏｒｍａｔｉｏｎ）など）を介してネットワークデバイスによって伝送がトリガーされ得るＣＳＩ−ＲＳを指す。
【００３５】
Ａ−ＣＳＩ−ＲＳに関連する異なる時間オフセットが３ＧＰＰ仕様の作業で設計され、かつ合意されている。例えば、ＵＬ割り当て（例えば、ＤＣＩを搬送する物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ））がスロットＮで伝送される場合、Ａ−ＣＳＩ−ＲＳはスロットＮ＋Ｘで伝送されることが合意されている。いくつかの実施形態では、Ａ−ＣＳＩ−ＲＳトリガーのオフセットＸについて、Ｘはゼロに固定されるか、ＣＳＩ−ＲＳリソース集合ごとに構成可能である。オフセットＸはスロット単位で測定されてもよい。
【００３６】
上述したように、時間及び周波数追跡のためのＣＳＩ−ＲＳは、「ＴＲＳ」とも呼ばれる。現在の３ＧＰＰ仕様の作業では、Ｐ−ＣＳＩ−ＲＳのみが時間及び周波数追跡に使用可能である。つまり、現在のところ、周期的ＴＲＳのみがサポートされ得る。ＳＣｅｌｌの活性化を促進するために、非周期的ＴＲＳをサポートすることが望ましい。しかし、非周期的ＴＲＳに関する詳細なソリューションはまだ提供されていない。
【００３７】
上記問題及び１つ又は複数の他の潜在的な問題を解決するために、本開示の例示的な実施形態に従って、ＴＲＳ構成のためのソリューションが提供される。このソリューションにより、ＳＣｅｌｌの活性化をアシストするために、非周期的ＴＲＳの伝送をサポートすることができる。
【００３８】
以下、本開示の原理及び実施について、本開示のいくつかの実施にかかるＴＲＳ伝送のためのプロセス２００を示す図２を参照して詳細に説明する。検討の目的のために、図１を参照してプロセス２００を説明する。プロセス２００は、図１におけるネットワークデバイス１１０及び端末デバイス１２０に関わる。
【００３９】
図２に示すように、いくつかの実施形態では、ネットワークデバイス１１０は、ＴＲＳを端末デバイス１２０に伝送するための構成を決定する（２１０）。
【００４０】
いくつかの実施形態では、ネットワークデバイス１１０によって決定された構成は、端末デバイス１２０にＴＲＳを伝送するための少なくとも１つのＣＳＩ−ＲＳリソースの集合（セット（ｓｅｔ））を示してもよい。以下では、「ＣＳＩ−ＲＳリソースの集合」、「ＣＳＩ−ＲＳリソース集合」及び「リソース集合」を互換的に使用することができる。いくつかの実施形態では、１つのＣＳＩ−ＲＳリソース集合は、１つ又は複数のＣＳＩ−ＲＳリソースを含んでもよい。
【００４１】
いくつかの実施形態では、異なるシナリオにより、ＴＲＳ伝送のためのＣＳＩ−ＲＳリソースは、異なるパターンを有してもよい。本明細書で使用されるとき、ＣＳＩ−ＲＳリソースの「パターン」は、時間領域で１つ又は複数のスロットにおけるＣＳＩ−ＲＳリソースの分布を示してもよい。例えば、いくつかの実施形態では、１つのスロットに２つの周期的ＣＳＩ−ＲＳリソースを有する１つのＣＳＩ−ＲＳリソース集合が、ＴＲＳ伝送のために決定され得る。本明細書において、このパターンを、「１スロットパターン」とも称する。いくつかの実施形態では、２つの連続したスロットに４つの周期的ＣＳＩ−ＲＳリソースを有する１つのＣＳＩ−ＲＳリソース集合が、ＴＲＳ伝送のために決定され得る。代替的に、いくつかの実施形態では、１つのスロットに２つの周期的ＣＳＩ−ＲＳリソースを有する２つのＣＳＩ−ＲＳリソース集合が、ＴＲＳ伝送のために決定され得る。本明細書において、上記の２つのパターンを、それぞれ、「２スロットパターン」とも称する。
【００４２】
いくつかの実施形態では、少なくとも１つのＣＳＩ−ＲＳリソース集合は、上位層パラメータＴＲＳ−Ｉｎｆｏで構成されて、少なくとも１つのＣＳＩ−ＲＳリソース集合がＴＲＳ伝送に使用され得ることを示してもよい。ＣＳＩ−ＲＳリソース集合は上位層パラメータＴＲＳ−Ｉｎｆｏで構成されている場合、ＣＳＩ−ＲＳリソース集合内の構成されたＣＳＩ−ＲＳリソースの同じポートインデックスを持つアンテナポートが同じであると仮定することができる。
【００４３】
いくつかの実施形態では、ネットワークデバイス１１０によって決定されたＴＲＳ伝送のための構成は、ＴＲＳについての周期性、及び／又はスロットオフセットを示してもよい。
【００４４】
いくつかの実施形態では、ネットワークデバイス１１０から端末デバイス１２０に伝送されるＴＲＳは、非周期的ＴＲＳ（Ａ−ＴＲＳ）であってもよい。すなわち、ＴＲＳの伝送は、トリガーシグナリング、例えば、ＤＣＩを搬送するＰＤＣＣＨを介して、ネットワークデバイス１１０によってトリガーされることができる。
【００４５】
図３は、そのような実施形態の例を示す。図３に示すように、トリガーシグナリングはスロットＮで伝送され、ＴＲＳはスロットＮ＋Ｋで伝送される。いくつかの実施形態では、ネットワークデバイス１１０によって決定されるＴＲＳ伝送のための構成は、第１のスロット（例えば、スロットＮ）と、少なくとも１つのＣＳＩ−ＲＳリソース集合でＴＲＳを伝送する第２のスロット（例えば、スロットＮ＋Ｋ）との間のスロットオフセット（例えば、Ｋ）を示してもよく、ここで、第１のスロットは、ＴＲＳの伝送を可能にするためのトリガーシグナリングを伝送することに用いられる。
【００４６】
いくつかの実施形態では、時間及び周波数追跡に使用されるＡ−ＴＲＳのスロットオフセットは、他の目的に使用される通常のＡ−ＣＳＩ−ＲＳのスロットオフセットとは異なってもよい。いくつかの実施形態では、Ａ−ＴＲＳ及びＡ−ＣＳＩ−ＲＳは、異なるパラメータに関連付けられてもよい。例えば、Ａ−ＴＲＳについて構成された疑似コロケーション（ＱＣＬ：Ｑｕａｓｉ−Ｃｏ−Ｌｏｃａｔｉｏｎ）パラメータは、通常のＡ−ＣＳＩ−ＲＳについて構成されたパラメータとは異なってもよい。このようにして、Ａ−ＰＴＳとＡ−ＣＳＩ−ＲＳのスロットオフセットは異なってもよい。
【００４７】
いくつかの実施形態では、Ａ−ＴＲＳについて、予め定義された候補オフセットの集合Ｓ１を構成してもよい。この場合、ネットワークデバイス１１０は、予め定義された集合Ｓ１からＡ−ＴＲＳのスロットオフセットを選択してもよい。いくつかの実施形態では、Ａ−ＣＳＩ−ＲＳについて、別の候補オフセットの集合Ｓ２を構成してもよい。いくつかの実施形態では、Ａ−ＴＲＳのための候補オフセットの集合Ｓ１は、Ａ−ＣＳＩ−ＲＳのための候補オフセットの集合Ｓ２と少なくとも部分的に異なってもよい。例えば、ＣＳＩ−ＲＳリソース集合は上位層パラメータＴＲＳ−Ｉｎｆｏで構成されている場合、ＣＳＩ−ＲＳリソース集合に関連するスロットオフセットは、候補オフセットの集合Ｓ１から決定されてもよい。ＣＳＩ−ＲＳリソース集合は上位層パラメータＴＲＳ−Ｉｎｆｏで構成されていない場合、ＣＳＩ−ＲＳリソース集合に関連するスロットオフセットは、候補オフセットの集合Ｓ２から決定されてもよい。いくつかの実施形態では、Ａ−ＴＲＳのスロットオフセットの値は０であることができない。代替的又は追加的に、いくつかの実施形態では、Ａ−ＴＲＳのスロットオフセットは、Ｘスロット又はＹｕｓのような所定のしきい値を超えてもよい。これは、ＴＲＳがプライマリＣＣ以外の他のＣＣに対してトリガーされると、端末デバイスは、ＲＦ（Ｒａｄｉｏ  Ｆｒｅｑｕｅｎｃｙ，無線周波数）リターンを必要とする可能性があるからである。したがって、スロットオフセットは所定の値を超える必要がある。
【００４８】
いくつかの実施形態では、非周期的ＲＳについて構成された候補スロットオフセット値の集合が存在してもよい。例えば、スロットオフセットは、非周期的ＲＳのトリガー情報の伝送（例えば、ＰＤＣＣＨ又はＰＤＣＣＨのＤＭＲＳ）のスロットと非周期的ＲＳの伝送のスロットとの間のオフセットであってもよい。いくつかの実施形態では、非周期的ＲＳは、ＣＳＩ−ＲＳ、ＴＲＳ、ＳＲＳ、ＤＭＲＳ、ＰＴＲＳ、及び測位ＲＳ（ＰＲＳ）のうちの少なくとも１つであってもよい。いくつかの実施形態では、ＲＳの異なる構成（例えば、ＲＳリソース、ＲＳリソース集合、ＣＳＩレポート設定、及び／又はＴＣＩ（Ｔｒａｎｓｍｉｓｓｉｏｎ  Ｃｏｎｆｉｇｕｒａｔｉｏｎ  Ｉｎｄｉｃａｔｏｒ）状態）については、候補スロットオフセット値の集合内の少なくとも１つの値が異なってもよい。いくつかの実施形態では、ＲＳの異なる構成（例えば、ＲＳリソース、ＲＳリソース集合、ＣＳＩレポート設定、及び／又はＴＣＩ（Ｔｒａｎｓｍｉｓｓｉｏｎ  Ｃｏｎｆｉｇｕｒａｔｉｏｎ  Ｉｎｄｉｃａｔｏｒ）状態）については、候補スロットオフセット値の集合内の値の数が異なってもよい。いくつかの実施形態では、ＲＳの異なる構成（例えば、ＲＳリソース、ＲＳリソース集合、ＣＳＩレポート設定、及び／又はＴＣＩ（Ｔｒａｎｓｍｉｓｓｉｏｎ  Ｃｏｎｆｉｇｕｒａｔｉｏｎ  Ｉｎｄｉｃａｔｏｒ）状態）については、候補スロットオフセット値の集合内の最小値が異なってもよい。いくつかの実施形態では、ＲＳの構成は、ＲＳ機能、ＣＳＩレポートの数、ＴＲＳ−Ｉｎｆｏ、ＴＣＩ状態の値、ＱＣＬタイプ、及びＱＣＬ参照ＲＳ（ＱＣＬ  ｒｅｆｅｒｒｅｄ  ＲＳ）のうちの少なくとも１つを含んでもよい。いくつかの実施形態では、ＲＳの第１の構成については、候補スロットオフセット値の集合は、Ｓ１（例えば、Ｓ１＝｛Ｓ１＿１、Ｓ１＿２、Ｓ１＿３、．．．Ｓ１＿Ｎ｝。ここで、ＮはＳ１における値の数である）として表されてもよい。ＲＳの第２の構成については、候補スロットオフセット値の集合はＳ２（例えば、Ｓ２は｛Ｓ２＿１、Ｓ２＿２、Ｓ２＿３、．．．Ｓ２＿Ｍ｝であってもよく、ここで、ＭはＳ２における値の数である）として表されてもよい。いくつかの実施形態では、第１の構成は、上位層パラメータＴＲＳ−ＩｎｆｏがＴＲＵＥ又は１に設定されることを示してもよく、これは、例えば、ＲＳが時間及び周波数追跡に使用可能であることを意味する。第２の構成は、上位層パラメータＴＲＳ−ＩｎｆｏがＦａｌｓｅ又は０に設定されることを示してもよく、これは、例えば、ＲＳが時間及び周波数追跡に使用可能ではないことを意味する。いくつかの実施形態では、第１の構成は、ＲＳトリガー情報（例えば、ＰＤＣＣＨ又はＰＤＣＣＨのＤＭＲＳ）の伝送のためのＱＣＬ参照ＲＳ及び／又はＱＣＬタイプが、ＲＳ伝送のためのＱＣＬ参照ＲＳ及び／又はＱＣＬタイプと異なることを示してもよい。第２の構成は、ＲＳトリガー情報（例えば、ＰＤＣＣＨ又はＰＤＣＣＨのＤＭＲＳ）の伝送のためのＱＣＬ参照ＲＳ及び／又はＱＣＬタイプが、ＲＳ伝送のためのＱＣＬ参照ＲＳ及び／又はＱＣＬタイプと同じであることを示してもよい。いくつかの実施形態では、第１の構成は、ＲＳト��ガー情報の伝送のためのセル、帯域幅部分（ＢＷＰ：ｂａｎｄｗｉｄｔｈ  ｐａｒｔ）、周波数範囲及び／又はＣＣを示してもよい。第２の構成は、ＲＳの伝送のためのセル、ＢＷＰ、周波数範囲及び／又はＣＣを示してもよい。第１の構成は、第２の構成と異なってもよい。いくつかの実施形態では、第１の構成は第２の構成と異なる場合、Ｓ１における少なくとも１つの値は、Ｓ２に含まれない場合がある。いくつかの実施形態では、第１の構成は第２の構成と異なる場合、Ｓ１に含まれる値の数は、Ｓ２に含まれる値の数と異なってもよく、すなわち、Ｎ≠Ｍである。いくつかの実施形態では、第１の構成は第２の構成と異なる場合、Ｓ１内の最小値は、Ｓ２内の最小値と異なってもよい。いくつかの実施形態では、第１の構成について、Ｓ１には、値０が存在しなくてもよく、又は、Ｓ１内の全ての値が、Ｘスロット又はＹｕｓのような所定の正の値以上であってもよい。
【００４９】
いくつかの実施形態では、Ａ−ＴＲＳのスロットオフセットは、各ＣＳＩ−ＲＳリソース集合に基づいて決定され得る。具体的には、いくつかの実施形態では、スロットオフセットは、少なくとも１つのＣＳＩ−ＲＳリソース集合のパターンに基づいて決定されてもよい。いくつかの実施形態では、１スロットパターンについて、１つのスロットに２つの周期的ＣＳＩ−ＲＳリソースを有する１つのＣＳＩ−ＲＳリソース集合は、ＴＲＳ伝送のために構成されてもよい。この場合、スロットオフセットは、１つのＣＳＩ−ＲＳリソース集合に基づいて決定されることができる。すなわち、オフセットは、ＴＲＳの伝送をトリガーするＤＣＩを含むスロットと、１つのＣＳＩ−ＲＳリソース集合でＴＲＳを伝送するスロットとの間のスロット数を示す。
【００５０】
いくつかの実施形態では、２スロットパターンについて、２つの連続したスロットに４つの周期的ＣＳＩ−ＲＳリソースを有する１つのＣＳＩ−ＲＳリソース集合が、ＴＲＳ伝送のために決定されてもよい。この場合、Ａ−ＴＲＳのスロットオフセットは、２つの連続したスロットのうちの前者に基づいて決定されることができる。すなわち、オフセットは、ＴＲＳの伝送をトリガーするＤＣＩを含むスロットと、２つの連続したスロットのうちの前者スロットにおける２つの周期的ＣＳＩ−ＲＳリソースでＴＲＳが伝送されるスロットとの間のスロット数を示す。
【００５１】
いくつかの実施形態では、２スロットパターンについては、１つのスロットに２つの周期的ＣＳＩ−ＲＳリソースをそれぞれ有する２つのＣＳＩ−ＲＳリソース集合が、ＴＲＳ伝送のために構成されてもよい。この場合、１つのＤＣＩは、２つのＣＳＩ−ＲＳリソース集合の両方をトリガーすることができる。Ａ−ＴＲＳのスロットオフセットは、２つのＣＳＩ−ＲＳリソース集合のうちの少なくとも１つに基づいて決定されることができる。例えば、２つのＣＳＩ−ＲＳリソース集合のうちの１つについて決定されたスロットオフセットがｍであり、２つのＣＳＩ−ＲＳリソース集合のうちの他方について決定されたスロットオフセットがｐであると仮定する。いくつかの実施形態では、ｐ＝ｍ＋１。いくつかの他の実施形態では、ｐ＝ｍ−１。いくつかの実施形態では、２つのＣＳＩ−ＲＳリソース集合が１つのＤＣＩ又は１つのスロットでトリガーされる場合、この２つのＣＳＩ−ＲＳリソース集合は１つのＴＲＳリソース集合とみなされてもよい。代替的又は追加的に、この場合、２つのＣＳＩ−ＲＳリソース集合における構成されたＣＳＩ−ＲＳリソースの同じポートインデックスを持つアンテナポートが同じであると仮定することができる。いくつかの実施形態では、２つのＣＳＩ−ＲＳリソース集合が、１つのＴＲＳリソース集合として使用できるかどうか、又は２つのＣＳＩ−ＲＳリソース集合における構成されたＣＳＩ−ＲＳリソースの同じポートインデックスを持つアンテナポートが同じであると仮定できるかどうかを示すために、２つのＣＳＩ−ＲＳリソース集合に１つの追加のパラメータ又はインジケータが存在してもよい。いくつかの実施形態では、追加のパラメータ又はインジケータは、「ＴＲＳ−ｓｉｎｇｌｅ」として表現されてもよい。他の表現も使用できることを理解されたい。いくつかの実施形態では、ＴＲＳ−ｓｉｎｇｌｅが所定の値又は状態Ａに設定されている場合、２つのＣＳＩ−ＲＳリソース集合が１つのＴＲＳ集合とみなされないか、又は２つのＣＳＩ−ＲＳリソース集合における構成されたＣＳＩ−ＲＳリソースの同じポートインデックスを持つアンテナポートが同じであると仮定できない場合がある。ＴＲＳ−ｓｉｎｇｌｅが別の所定値又はＡと異なる状態Ｂに設定されている場合、２つのＣＳＩ−ＲＳリソース集合は１つのＴＲＳ集合とみなされてもよいか、又は２つのＣＳＩ−ＲＳリソース集合における構成されたＣＳＩ−ＲＳリソースの同じポートインデックスを持つアンテナポートが同じであると仮定することはできる。いくつかの実施形態では、追加のパラメータ又はインジケータは、各ＣＳＩ−ＲＳリソース集合について構成されてもよく、又は同じＤＣＩ又は同じスロットによってトリガーされるＣＳＩ−ＲＳリソース集合のそれぞれについて構成されてもよい。いくつかの実施形態では、追加のパラメータ又はインジケータは、ＤＣＩによってトリガーされた２つのＣＳＩ−ＲＳリソース集合について構成されてもよい。
【００５２】
いくつかの実施形態では、ネットワークデバイス１１０から端末デバイス１２０に伝送されるＴＲＳは、半永続的ＴＲＳ（ＳＰ−ＴＲＳ）であってもよい。すなわち、ＳＰ−ＴＲＳの伝送が第１のシグナリング（例えば、ＰＤＣＣＨ又はメディアアクセス制御（ＭＡＣ：Ｍｅｄｉａ  Ａｃｃｅｓｓ  Ｃｏｎｔｒｏｌ）制御要素（ＣＥ：Ｃｏｎｔｒｏｌ  Ｅｌｅｍｅｎｔ））を介してネットワークデバイス１１０によって活性化されると、ＳＰ−ＴＲＳは、周期的ＴＲＳ（Ｐ−ＴＲＳ）のように周期的に伝送されることができる。いくつかの実施形態では、ＳＰ−ＴＲＳの伝送は、第２のシグナリング（例えば、ＰＤＣＣＨ又はＭＡＣＣＥ）を介してネットワークデバイス１１０によって非活性化されることができる。いくつかの実施形態では、端末デバイスがＲＲＣシグナリングを受信する場合、端末デバイスが、Ｐ−ＴＲＳ伝送のためのＲＲＣシグナリングに対する確認応答（ＡＣＫ）を報告する場合、端末デバイスが有効なチャネル品質インジケータ（ＣＱＩ：Ｃｈａｎｎｅｌ  ｑｕａｌｉｔｙ  ｉｎｄｉｃａｔｏｒ）を報告する場合、又は端末デバイスが、同じＢＷＰ、セル、ＣＣ、周波数範囲、ＳＣｅｌｌ、ＰＣｅｌｌ及び／又はプライマリＳＣｅｌｌにおいてＰＤＣＣＨ又は他のチャネルを正常にデコードする場合のうちの少なくとも１つの場合に、ＳＰ−ＴＲＳの伝送は、暗黙的に活性化されてもよい。
【００５３】
いくつかの実施形態では、ＳＰ−ＴＲＳについての周期性及びスロットオフセットは、それぞれ、Ｐ−ＴＲＳについて構成されたものと同じであり得る。具体的には、ＳＰ−ＴＲＳのスロットオフセットは、各ＣＳＩ−ＲＳリソースに基づくことができる。
【００５４】
いくつかの実施形態では、ＳＰ−ＴＲＳのスロットオフセット（例えば、Ｑ）は、ＳＰ−ＴＲＳの伝送を活性化する第１のシグナリング（例えば、ＰＤＣＣＨ又はＭＡＣ  ＣＥ）を含むスロット（例えば、スロットＭ）と、ＳＰ−ＴＲＳの有効な伝送が開始されるスロット（例えば、スロットＭ＋Ｑ）との間のスロットの数を示してもよい。
【００５５】
いくつかの実施形態では、ＳＰ−ＴＲＳのスロットオフセットＱは、所定の値として固定されることができる。いくつかの実施形態では、ＳＰ−ＴＲＳのスロットオフセットＱは、絶対的な時間間隔、例えば、Ｋマイクロ秒であるように固定されてもよい。いくつかの実施形態では、スロットオフセットＱの実際の値は、時間間隔Ｋと、ＳＰ−ＴＲＳのサブキャリア間隔（ＳＣＳ：Ｓｕｂｃａｒｒｉｅｒ  Ｓｐａｃｉｎｇ）Ｓｃの値とに基づいて計算されてもよい。例えば、スロットオフセットＱの値は、時間間隔Ｋ内のスロットの数を切り上げたり、切り捨てたりすることによって決定されることができる。例えば、Ｋの値は０であることはできない。
【００５６】
いくつかの実施形態では、ＳＰ−ＴＲＳのスロットオフセットＱは、ＳＰ−ＴＲＳのサブキャリア間隔（ＳＣＳ）の値に基づいて決定されることができる。例えば、ＳＣＳの所定の値について、ＳＰ−ＴＲＳのスロットオフセットＫは、固定されることができる。
【００５７】
いくつかの実施形態では、ＳＰ−ＴＲＳのスロットオフセットＱは、構成可能で、ＳＰ−ＴＲＳについて予め定義された候補オフセットの集合から決定されてもよい。いくつかの実施形態では、第１のシグナリング（例えば、ＰＤＣＣＨ又はＭＡＣ  ＣＥ）の伝送のための構成（例えば、ＱＣＬタイプ、ＱＣＬ参照ＲＳ、セル、ＢＷＰ、周波数範囲及び／又はＣＣ）が、ＳＰ−ＴＲＳ伝送のための構成と同じである場合、ＳＰ−ＴＲＳのスロットオフセットＱの値は、ｑ１であってもよい。第１のシグナリング（例えば、ＰＤＣＣＨやＭＡＣ  ＣＥ）の伝送のための構成（例えば、ＱＣＬタイプ、ＱＣＬ参照ＲＳ、セル、ＢＷＰ、周波数範囲及び／又はＣＣ）がＳＰ−ＴＲＳの伝送のための構成と異なる場合、ＳＰ−ＴＲＳのスロットオフセットＱの値は、ｑ２（ここで、ｑ１≠ｑ２）であってもよい。例えば、ＳＰ−ＴＲＳについて予め定義された候補オフセットの集合は、値「０」を含まなくてもよい。
【００５８】
いくつかの実施形態では、ＳＣｅｌｌ、Ｐｃｅｌｌ、又はＰＳＣｅｌｌにＴＲＳ伝送のためのそれぞれのＰ−ＴＲＳ構成が存在してもよい。例えば、ＴＲＳ構成は、１つのスロット内の周波数リソース、１つのスロット内の時間リソース、シンボルインデックス、周期性、スロットオフセットのうちの少なくとも１つを示してもよい。いくつかの実施形態では、活性化されたＳＰ−ＴＲＳについて構成された１つのスロット内の周波数リソース、１つのスロット内の時間リソース、シンボルインデックス、周期性、及び／又はスロットオフセットは、Ｐ−ＴＲＳについて構成されたものと同じであってもよい。いくつかの実施形態では、ＳＰ−ＴＲＳについて周期性及び／又はスロットオフセットに関する追加の構成があってもよい。例えば、いくつかの構成をＰ−ＴＲＳと共有することに加えて、ＳＰ−ＴＲＳについて周期性及び／又はスロットオフセットを別途構成することのみが必要とされてもよい。いくつかの実施形態では、ＳＰ−ＴＲＳ伝送のための周期性は、Ｐ−ＴＲＳについて構成されたものと同じであってもよい。さらに、ＳＰ−ＴＲＳを伝送するためのスロットの実際のインデックスは、ＳＰ−ＴＲＳ活性化のための第１のシグナリング（例えば、ＰＤＣＣＨ又はＭＡＣ  ＣＥ）を含むスロットのインデックスと、ＳＰ−ＴＲＳのスロットオフセットＱとに基づいて決定されてもよい。
【００５９】
いくつかの場合では、活性化されたＳＰ−ＴＲＳは、トリガーシグナリング（例えば、ＰＤＣＣＨ又はＭＡＣ  ＣＥ）とは異なるＳＣＳを有してもよい。例えば、活性化されたＳＰ−ＴＲＳのＳＣＳはＳＣＳ１であってもよく、活性化されたＰＤＣＣＨ又はＭＡＣ  ＣＥのＳＣＳはＳＣＳ２であり、ここで、ＳＣＳ１≠ＳＣＳ２である。いくつかの実施形態では、この場合、ＳＰ−ＴＲＳのスロットオフセットＱは、活性化されたＳＰ−ＴＲＳのＳＣＳ、すなわちＳＣＳ１に基づいて決定されてもよい。
【００６０】
図２に戻り、ネットワークデバイス１１０は、ＴＲＳ伝送のための構成を端末デバイス１２０に伝送する（２２０）。例えば、ＴＲＳ伝送のための構成は、少なくとも１つのＣＳＩ−ＲＳリソース集合を示してもよい。ここで、少なくとも１つのＣＳＩ−ＲＳリソース集合は、パラメータＴＲＳ−Ｉｎｆｏ、第１のスロットと第２のスロットとの間のスロットオフセットなどが構成され、第１のスロットは、ＴＲＳの伝送を可能にするためのトリガー及び／又は活性化シグナリングを伝送することに用いられ、第２のスロットは、少なくとも１つのＣＳＩ−ＲＳリソース集合でＴＲＳを伝送することに用いられる。
【００６１】
図２に示すように、ネットワークデバイス１１０からＴＲＳ伝送のための構成を受信したことに応答して、端末デバイス１２０は、構成に基づいて、ＴＲＳ伝送のための少なくとも１つのＣＳＩ−ＲＳリソース集合及びスロットオフセットを決定してもよい（２３０）。
【００６２】
次に、ネットワークデバイス１１０は、少なくとも構成に基づいて、トリガーシグナリングとＴＲＳを端末デバイス１２０に伝送する（２４０）。具体的には、ネットワークデバイス１１０は、第１のスロットでトリガー及び／又は活性化シグナリングを伝送し、第２のスロットで少なくとも１つのＣＳＩ−ＲＳリソース集合で端末デバイス１２０にＴＲＳを伝送してもよい。端末デバイス１２０は、少なくとも受信した構成に基づいて、ネットワークデバイス１１０からトリガー及び／又は活性化シグナリング、及びＴＲＳを受信してもよい。具体的には、端末デバイス１２０は、第１のスロットでトリガー及び／又は活性化シグナリングを受信し、第２のスロットで少なくとも１つのＣＳＩ−ＲＳリソース集合でネットワークデバイス１１０からＴＲＳが伝送されてもよい。
【００６３】
ＮＲにおいて、マルチＴＲＰ伝送をサポートすることができる。本開示の例示的な実施形態によれば、マルチＴＲＰ  ＣＳＩ測定を実行するために、マルチＴＲＰ  ＣＳＩ測定のためのソリューションが提供される。
【００６４】
図４は、本開示のいくつかの実施形態にかかるマルチＴＲＰ  ＣＳＩ測定の例を示す。図４に示すように、端末デバイス４１０は、２つのＴＲＰ４２０−１及び４２０−２によってサービスされ得る。端末デバイス及び／又はＴＲＰの数は、いかなる制限を示唆することなく、例示の目的のみであることを理解されたい。
【００６５】
いくつかの実施形態では、端末デバイス４１０は、異なるＴＲＰからの同時受信をサポートしてもよい。例えば、図４に示すように、端末デバイス４１０は、２つの空間Ｒｘビーム４３０−１及び４３０−２をサポートしてもよい。いくつかの実施形態では、一対のＣＳＩ−ＲＳリソースＡ及びＢは、ＴＲＰ４２０−１及び４２０−２からのＣＳＩ−ＲＳ伝送のために構成されてもよい。図４に示すように、端末デバイス４１０は、Ｒｘビーム４３０−１を介して、ＴＲＰ４２０−１から、ＣＳＩ−ＲＳリソースＡで伝送されたＣＳＩ−ＲＳを受信することができる。同時に、端末デバイス４１０は、Ｒｘビーム４３０−２を介して、ＴＲＰ４２０−１から、ＣＳＩ−ＲＳリソースＢで伝送されたＣＳＩ−ＲＳを受信することができる。さらに、端末デバイス４１０は、Ｒｘビーム４３０−１を介して、ＴＲＰ４２０−２からの干渉をＣＳＩ−ＲＳリソースＡで検出することができる。同時に、端末デバイス４１０は、Ｒｘビーム４３０−２を介して、ＴＲＰ４２０−１からの干渉をＣＳＩ−ＲＳリソースＢで検出することができる。つまり、Ｒｘビーム４３０−１については、ＣＳＩ−ＲＳリソースＡはチャネル測定に使用され、ＣＳＩ−ＲＳリソースＢは干渉測定に使用されることができる。いくつかの実施形態では、Ｒｘビーム４３０−１について、干渉測定のためのＣＳＩ−ＲＳリソースＢの疑似コロケーション（ＱＣＬ）パラメータ及び／又は受信ビームは、チャネル測定のためのＣＳＩ−ＲＳリソースＡのＱＣＬパラメータ及び／又は受信ビームに従うことができる。同様に、Ｒｘビーム４３０−２については、ＣＳＩ−ＲＳリソースＢはチャネル測定に使用され、ＣＳＩ−ＲＳリソースＡは干渉測定に使用されることができる。いくつかの実施形態では、Ｒｘビーム４３０−２について、干渉測定のためのＣＳＩ−ＲＳリソースＡのＱＣＬパラメータ及び／又は受信ビームは、チャネル測定のためのＣＳＩ−ＲＳリソースＢのＱＣＬパラメータ及び／又は受信ビームに従うことができる。このようにして、マルチＴＲＰ  ＣＳＩ測定を実施することができる。
【００６６】
いくつかの実施形態では、一対のＣＳＩ−ＲＳリソース（例えば、ＱＣＬパラメータＱＣＬ−１を有するＣＳＩ−ＲＳリソースＡとＱＣＬパラメータＱＣＬ−２を有するＣＳＩ−ＲＳリソースＢ）が端末デバイスに構成され、一対の測定が端末デバイスによって実行されてもよい。例えば、端末デバイスは、ＣＳＩ−ＲＳリソースＡでチャネルを測定し、ＣＳＩ−ＲＳリソースＢでＱＣＬ−１への干渉を測定してもよい。同様に、端末デバイスは、ＣＳＩ−ＲＳリソースＢでチャネルを測定し、ＣＳＩ−ＲＳリソースＡでＱＣＬ−２への干渉を測定してもよい。いくつかの実施形態では、一対の測定には、端末デバイスを構成するための追加のパラメータ及び／又はインジケータがあってもよい。いくつかの実施形態では、端末デバイスは、グループに基づくレポートが構成されている場合、一対の測定を実行してもよい。
【００６７】
図５は、本開示のいくつかの実施形態にかかる例示的な方法５００のフローチャートを示す。方法５００は、図１に示すネットワークデバイス１１０で実施することができる。検討の目的のために、図１を参照して、ネットワークデバイス１１０側から方法５００を説明する。
【００６８】
ブロック５１０において、ネットワークデバイス１１０は、端末デバイス１２０に追跡参照信号（ＴＲＳ）を伝送するための少なくとも１つのチャネル状態情報参照信号（ＣＳＩ−ＲＳ）リソースの集合を決定する。
【００６９】
ブロック５２０において、ネットワークデバイス１１０は、ＴＲＳの伝送を可能にするための第１の信号を伝送する第１のスロットと、少なくとも１つのＣＳＩ−ＲＳリソースの集合でＴＲＳを伝送する第２のスロットとの間の第１のオフセットを決定する。
【００７０】
ブロック５３０において、ネットワークデバイス１１０は、少なくとも１つのＣＳＩ−ＲＳリソースの集合及び第１のオフセットを示す構成を端末デバイス１２０に伝送する。
【００７１】
いくつかの実施形態では、第１のオフセットは、ＣＳＩ−ＲＳの伝送を可能にするための第２の信号を伝送する第３のスロットと、ＣＳＩ−ＲＳを伝送する第４のスロットとの間の第２のオフセットと異なる。例えば、ＴＲＳとＣＳＩ−ＲＳは、異なる疑似コロケーション（ＱＣＬ）パラメータに関連付けられてもよい。
【００７２】
いくつかの実施形態では、ネットワークデバイス１１０は、１つ又は複数のスロットにおける少なくとも１つのＣＳＩ−ＲＳリソースの集合の分布を決定することによって、少なくとも１つのＣＳＩ−ＲＳリソースの集合を決定してもよい。ネットワークデバイス１１０は、分布に基づいて第１のオフセットを決定してもよい。
【００７３】
いくつかの実施形態では、分布は、少なくとも１つのＣＳＩ−ＲＳリソースの集合が、１つのスロットに２つの周期的ＣＳＩ−ＲＳリソースを有する第１のリソース集合を含むことを示してもよい。ネットワークデバイス１１０は、第１のリソース集合に基づいて第１のオフセットを決定してもよい。
【００７４】
いくつかの実施形態では、分布は、少なくとも１つのＣＳＩ−ＲＳリソースの集合が、２つの連続したスロットに４つの周期的ＣＳＩ−ＲＳリソースを有する第２のリソース集合を含むことを示してもよい。ネットワークデバイス１１０は、２つの連続したスロットのうちの少なくとも１つに基づいて、第１のオフセットを決定してもよい。
【００７５】
いくつかの実施形態では、分布は、少なくとも１つのＣＳＩ−ＲＳリソースの集合が、１つのスロットに２つの周期的ＣＳＩ−ＲＳリソースをそれぞれ有する２つのリソース集合を含むことを示してもよい。ネットワークデバイス１１００は、ＴＲＳについて予め定義された第１の候補オフセットの集合を取得し、かつ第１の候補オフセットの集合から第１のオフセットを決定してもよい。いくつかの実施形態では、第１の候補オフセットの集合は、ＣＳＩ−ＲＳについて予め定義された第２の候補オフセットの集合と少なくとも部分的に異なってもよく、第２のオフセットは、第２の候補オフセットの集合から決定されてもよい。
【００７６】
いくつかの実施形態では、ＴＲＳは非周期的である。
【００７７】
いくつかの実施形態では、ＴＲＳは半永続的である。ネットワークデバイス１１００は、周期的ＴＲＳについて予め構成された第３のオフセットを取得し、第３のオフセットに基づいて第１のオフセットを決定してもよい。
【００７８】
いくつかの実施形態では、ＴＲＳは、第１のサブキャリア間隔（ＳＣＳ）に関連付けられてもよく、第１の信号は、第１のＳＣＳとは異なる第２のＳＣＳに関連付けられてもよい。ネットワークデバイス１１０は、少なくとも第１のＳＣＳに基づいて第１のオフセットを決定してもよい。
【００７９】
いくつかの実施形態では、ネットワークデバイス１１０は、少なくとも構成に基づいて、第１の信号及びＴＲＳを端末デバイスに伝送してもよい。
【００８０】
図６は、本開示のいくつかの実施形態にかかる例示的な方法６００のフローチャートを示す。方法６００は、図１に示す端末デバイス１２０で実施することができる。検討の目的のために、図１を参照して端末デバイス１２０側から方法５００を説明する。
【００８１】
ブロック６１０において、端末デバイス１２０は、ネットワークデバイス１１０から、ＴＲＳ伝送のための構成を受信する。構成は、ネットワークデバイス１１０からＴＲＳを受信するための少なくとも１つのＣＳＩ−ＲＳリソースの集合と、ＴＲＳの伝送を可能にするための第１の信号を受信する第１のスロットと、少なくとも１つのＣＳＩ−ＲＳリソースの集合でＴＲＳを受信する第２のスロットとの間の第１のオフセットを示してもよい。
【００８２】
ブロック６２０において、端末デバイス１２０は、構成に基づいて、少なくとも１つのＣＳＩ−ＲＳリソースの集合及び第１のオフセットを決定する。
【００８３】
いくつかの実施形態では、第１のオフセットは、ＣＳＩ−ＲＳの伝送を可能にするための第２の信号を伝送する第３のスロットと、ＣＳＩ−ＲＳを伝送する第４のスロットとの間の第２のオフセットと異なる。例えば、ＴＲＳとＣＳＩ−ＲＳは、異なる疑似コロケーション（ＱＣＬ）パラメータに関連付けられてもよい。
【００８４】
いくつかの実施形態では、ＴＲＳは非周期的である。
【００８５】
いくつかの実施形態では、ＴＲＳは半永続的である。
【００８６】
いくつかの実施形態では、ＴＲＳは、第１のサブキャリア間隔（ＳＣＳ）に関連付けられてもよく、第１の信号は、第１のＳＣＳとは異なる第２のＳＣＳに関連付けられてもよい。端末デバイス１２０は、少なくとも第１のＳＣＳに基づいて第１のオフセットを決定してもよい。
【００８７】
いくつかの実施形態では、端末デバイス１２０は、少なくとも構成に基づいて、ネットワークデバイス１１０から第１の信号及びＴＲＳを受信してもよい。
【００８８】
図７は、本開示の実施形態の実施に適するデバイス７００の簡略的なブロック図である。デバイス７００は、図１に示すネットワークデバイス１１０のさらなる例示的な実施と見なされることができる。そのため、デバイス７００は、ネットワークデバイス１１０で実施され、又は少なくともその一部として実施されることができる。
【００８９】
図示のように、デバイス７００は、プロセッサ７１０と、プロセッサ７１０に接続されているメモリ７２０と、プロセッサ７１０に接続されている適切な送信機（ＴＸ）及び受信機（ＲＸ）７４０と、ＴＸ／ＲＸ７４０に接続されている通信インターフェースとを備える。メモリ７１０は、プログラム７３０の少なくとも一部を格納する。ＴＸ／ＲＸ７４０は、双方向通信するためのものである。ＴＸ／ＲＸ７４０は、通信を容易にするために少なくとも１つのアンテナを有するが、実際には、本願で言及されるアクセスノードは、いくつかを有してもよい。通信インターフェースは、ｅＮＢ間の双方向通信用のＸ２インターフェース、Ｍｏｂｉｌｉｔｙ  Ｍａｎａｇｅｍｅｎｔ  Ｅｎｔｉｔｙ（ＭＭＥ）／Ｓｅｒｖｉｎｇ  Ｇａｔｅｗａｙ（Ｓ−ＧＷ）とｅＮＢとの間の通信用のＳ１インターフェース、ｅＮＢとリレーノード（ＲＮ：Ｒｅｌａｙ  Ｎｏｄｅ）との間の通信用のＵｎインターフェース、又はｅＮＢと端末デバイスとの間の通信用のＵｕインターフェースなど、他のネットワーク要素との通信に必要な任意のインターフェースを表す。
【００９０】
プログラム７３０は、関連するプロセッサ７１０によって実行されると、本明細書で図１乃至８を参照して説明したように、デバイス７００が本開示の実施形態に従って動作することを可能にするプログラム命令を含むと想定される。本開示の実施形態は、デバイス７００のプロセッサ６１０によって実行可能なコンピュータソフトウェアにより、又はハードウェアにより、又はソフトウェア及びハードウェアの組み合わせにより実施され得る。プロセッサ６１０は、本開示の様々な実施形態を実施するように構成され得る。さらに、プロセッサ６１０とメモリ６１０の組み合わせは、本開示の様々な実施形態を実施するのに適した処理手段７５０を形成し得る。
【００９１】
メモリ６１０は、ローカル技術ネットワークに適した任意のタイプのものであってもよく、非限定的な例として、非一時的なコンピュータ読み取り可能な記憶媒体、半導体系のメモリデバイス、磁気メモリデバイス及びシステム、光メモリデバイス及びシステム、固定メモリ及びリムーバブルメモリなどの任意の適切なデータストレージ技術を使用して実施されてもよい。デバイス７００には１つのメモリ６１０のみが示されているが、物理的に別個であるいくつかのメモリモジュールがあってもよい。プロセッサ６１０は、ローカル技術ネットワークに適した任意のタイプのものであってもよく、非限定的な例として、汎用コンピュータ、専用コンピュータ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、及び、マルチコアプロセッサアーキテクチャに基づくプロセッサのうちの１つ又は複数を含んでもよい。デバイス７００は、メインプロセッサを同期させるクロックに時間的に従属する特定用途向け集積回路チップなどの複数のプロセッサを有してもよい。
【００９２】
一般的に、本開示の様々な実施形態は、ハードウェア又は専用回路、ソフトウェア、ロジック、又はそれらの任意の組み合わせで実施され得る。いくつかの態様はハードウェアで実施され、他の態様はコントローラ、マイクロプロセッサ又は他のコンピューティングデバイスによって実行されるファームウェア又はソフトウェアで実施されてもよい。本開示の実施形態の様々な態様は、ブロック図、フローチャート、又は他の何らかの画像表現を使用して例示及び説明されているが、本明細書で説明されるこれらのブロック、装置、システム、技術又は方法は、非限定的な例として、ハードウェア、ソフトウェア、ファームウェア、専用回路又はロジック、汎用ハードウェア又はコントローラ又は他のコンピューティングデバイス、又はそれらの組み合わせに実施されてもよい。
【００９３】
本開示は、さらに、非一時的なコンピュータ読み取り可能な記憶媒体に有形に格納された少なくとも１つのコンピュータプログラム製品を提供する。コンピュータプログラム製品は、図１〜図７Ｂのいずれかを参照して上記で説明したプロセス又は方法を実行するために、プログラムモジュールに含まれるものなどの、対象の実プロセッサ又は仮想プロセッサ上のデバイスで実行される、コンピュータ実行可能な命令を含む。一般的に、プログラムモジュールは、特定のタスクを実行する、又は特定の抽象データ型を実装するルーチン、プログラム、ライブラリ、オブジェクト、クラス、コンポーネント、データ構造などを含む。プログラムモジュールの機能は、様々な実施形態で必要に応じてプログラムモジュール間で組み合わせるか、又は分割することができる。プログラムモジュールのためのマシン実行可能な命令は、ローカルデバイス又は分散型デバイスで実行できる。分散型デバイスでは、プログラムモジュールはローカルとリモートのストレージメディアの両方に配置できる。
【００９４】
本開示の方法を実行するためのプログラムコードは、１つ又は複数のプログラミング言語の任意の組み合わせでコーディングされることができる。これらのプログラムコードは、汎用コンピュータ、専用コンピュータ、又はその他のプログラマブルデータ処理装置のプロセッサ又はコントローラに提供されることによって、プログラムコードがプロセッサ又はコントローラによって実行されると、フローチャート及び／又はブロック図に規定される機能／動作が実現される。プログラムコードは、完全にマシン上で実行されたり、その一部がマシン上で実行されたり、スタンドアロンソフトウェアパッケージとして実行されたり、一部がマシン上で実行され、かつ一部がリモートマシン上で実行されたり、又は完全にリモートマシン又はサーバー上で実行されたりすることができる。
【００９５】
上記のプログラムコードは、命令実行システム、装置、又はデバイスによって、又はそれらと関連して使用するためのプログラムを含むか、又は格納する任意の有形媒体であり得るマシン読み取り可能な媒体上で具現化され得る。マシン読み取り可能な媒体は、マシン読み取り可能な信号媒体又はマシン読み取り可能な記憶媒体であり得る。マシン読み取り可能な媒体は、電子、磁気、光学、電磁気、赤外線、又は半導体システム、装置、又はデバイス、あるいは前述の任意の適切な組み合わせを含むが、これらに限定されない。マシン読み取り可能な記憶媒体のより具体的な例には、１つ又は複数のワイヤによる電気的な接続、ポータブルコンピュータディスケット、ハードディスク、ランダムアクセスメモリ（ＲＡＭ）、読み取り専用メモリ（ＲＯＭ）、消去可能なプログラマブル読み出し専用メモリ（ＥＰＲＯＭ又はフラッシュメモリ）、光ファイバー、ポータブルコンパクトディスク読み取り専用メモリ（ＣＤ−ＲＯＭ）、光学式ストレージデバイス、磁気ストレージデバイス、又は前述の任意の適切な組み合わせが含まれる。
【００９６】
さらに、操作は特定の順序で図面に描かれているが、これは、望ましい結果を達成するために、そのような操作が図示の特定の順序又は連続順序で実行されること、又はすべての描かれた操作が実行されることを要求するものとして理解されるべきではない。特定の状況では、マルチタスクと並列処理が有利な場合がある。同様に、上記説明にはいくつかの特定の実装の詳細が含まれているが、これらは本開示の範囲の制限としてではなく、特定の実施形態に特有の特徴の説明として解釈されるべきである。別個の実施形態の文脈で記載されている特定の特徴は、単一の実施形態に組み合わせて実施されることもできる。逆に、単一の実施形態の文脈で説明される様々な特徴は、複数の実施形態で別々に、又は任意の適切なサブコンビネーションで実施されることもできる。
【００９７】
本開示について、構造的特徴及び／又は方法論的動作に特有の用語で説明したが、添付の請求の範囲で限定される本開示は、必ずしも上記の特定の特徴又は動作に限定されないことを理解されたい。むしろ、上記の特定の特徴及び動作は、請求の範囲を実施する例示的な形態として開示されている。
【図１】
2021519551.tif 000003
【図２】
2021519551.tif 000004
【図３】
2021519551.tif 000005
【図４】
2021519551.tif 000006
【図５】
2021519551.tif 000007
【図６】
2021519551.tif 000008
【図７】
2021519551.tif 000009
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
基地局で実行される方法であって、
追跡のための第１のチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）の伝送のための第１のリソース構成を端末デバイスに伝送することと、
前記第１のＣＳＩ−ＲＳを前記端末デバイスに第２のスロットで伝送することと、
を有し、
前記第１のリソース構成は、
ＴＲＵＥに設定されたパラメータＴＲＳ−Ｉｎｆｏと、
前記第１のＣＳＩ−ＲＳの伝送をトリガーする第１の信号を含む第１のスロットと、前記第１のＣＳＩ−ＲＳが伝送される前記第２のスロットの間にある第１のオフセットを示す第１のパラメータと、
を含み、
前記第１のオフセットは、
ＴＲＵＥに設定された前記パラメータＴＲＳ−Ｉｎｆｏが無い第２のＣＳＩ−ＲＳの伝送のための第２のリソース構成に含まれる第２のパラメータで示される第２のオフセットから独立しており、
前記第２のオフセットは、
前記第２のＣＳＩ−ＲＳの伝送をトリガーする第２の信号を含む第３のスロットと、前記第２のＣＳＩ−ＲＳが伝送される第４のスロットとの間にある、
方法。
【請求項２】
前記第１のＣＳＩ−ＲＳ及び前記第２のＣＳＩ−ＲＳは、異なる疑似コロケーション（ＱＣＬ：Ｑｕａｓｉ−Ｃｏ−Ｌｏｃａｔｉｏｎ）パラメータに関連付けられている、請求項１に記載の方法。
【請求項３】
前記第１のリソース構成を決定することと、
前記第１のオフセットを決定することと、
をさらに有し、
前記第１のリソース構成を決定することは、
１つ又は複数のスロットにおける少なくとも１つの前記第１のＣＳＩ−ＲＳのためのリソースの集合の分布を決定することを、有し、
前記第１のオフセットを決定することは、
前記分布に基づいて前記第１のオフセットを決定することを、有する
請求項１又は２に記載の方法。
【請求項４】
前記分布は、前記少なくとも１つの前記第１のＣＳＩ−ＲＳのためのリソースの集合が、１つのスロットに前記第１のＣＳＩ−ＲＳのための２つの周期的リソースを持つ第１のリソース集合を含むことを示し、
前記第１のオフセットを決定することは、
前記第１のリソース集合に基づいて前記第１のオフセットを決定することを、有する
請求項３に記載の方法。
【請求項５】
前記分布は、前記少なくとも１つの前記第１のＣＳＩ−ＲＳのためのリソースの集合が、２つの連続したスロットに前記第１のＣＳＩ−ＲＳのための４つの周期的リソースを持つ第２のリソース集合を含むことを示し、
前記第１のオフセットを決定することは、
前記２つの連続したスロットのうちの少なくとも１つに基づいて前記第１のオフセットを決定することを、有する
請求項３に記載の方法。
【請求項６】
前記分布は、前記少なくとも１つの前記第１のＣＳＩ−ＲＳのためのリソースの集合が、１つのスロットに前記第１のＣＳＩ−ＲＳのための２つの周期的リソースをそれぞれ持つ２つのリソース集合を含むことを示し、
前記第１のオフセットを決定することは、
前記２つのリソース集合のうちの少なくとも１つに基づいて、前記第１のオフセットを決定することを、有する
請求項３に記載の方法。
【請求項７】
前記第１のオフセットを決定することを、さらに有し、
前記第１のオフセットを決定することは、
前記第１のＣＳＩ−ＲＳについて予め定義された第１の候補オフセットの集合を取得することと、
前記第１の候補オフセットの集合から前記第１のオフセットを決定することと、
を有し、
前記第１の候補オフセットの集合は、第２の候補オフセットの集合と少なくとも部分的に異なり、前記第２のオフセットは、前記第２の候補オフセットの集合から決定される
請求項１から６のいずれか１項に記載の方法。
【請求項８】
前記第１のＣＳＩ−ＲＳは非周期的である請求項１から７のいずれか１項に記載の方法。
【請求項９】
前記第１の信号は、ダウンリンク制御情報（ＤＣＩ：Ｄｏｗｎｌｉｎｋ  Ｃｏｎｔｒｏｌ  Ｉｎｆｏｒｍａｔｉｏｎ）フォーマットで伝送される、
請求項１に記載の方法。
【請求項１０】
前記第１のＣＳＩ−ＲＳは第１のサブキャリア間隔（ＳＣＳ：Ｓｕｂｃａｒｒｉｅｒ  Ｓｐａｃｉｎｇ）に関連付けられ、前記第１の信号は前記第１のＳＣＳとは異なる第２のＳＣＳに関連付けられ、
前記方法は、前記第１のオフセットを決定することを、さらに有し、
前記第１のオフセットを決定することは、少なくとも前記第１のＳＣＳに基づいて前記第１のオフセットを決定することを、有する
請求項１から９のいずれか１項に記載の方法。
【請求項１１】
少なくとも前記第１のリソース構成に基づいて、前記第１の信号及び前記第１のＣＳＩ−ＲＳを前記端末デバイスに伝送することを、さらに有する請求項１から１０のいずれか１項に記載の方法。
【請求項１２】
端末デバイスで実行される方法であって、
追跡のための第１のチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）の伝送のための第１のリソース構成を基地局から受信することと、
前記第１のＣＳＩ−ＲＳを前記基地局から第２のスロットで受信することと、
を有し、
前記第１のリソース構成は、
ＴＲＵＥに設定されたパラメータＴＲＳ−Ｉｎｆｏと、
前記第１のＣＳＩ−ＲＳの伝送をトリガーする第１の信号を含む第１のスロットと、前記第１のＣＳＩ−ＲＳが受信される前記第２のスロットの間にある第１のオフセットを示す第１のパラメータと、
を含み、
前記第１のオフセットは、
ＴＲＵＥに設定された前記パラメータＴＲＳ−Ｉｎｆｏが無い第２のＣＳＩ−ＲＳの伝送のための第２のリソース構成に含まれる第２のパラメータで示される第２のオフセットから独立しており、
前記第２のオフセットは、
前記第２のＣＳＩ−ＲＳの伝送をトリガーする第２の信号を含む第３のスロットと、前記第２のＣＳＩ−ＲＳが受信される第４のスロットとの間にある、
方法。
【手続補正３】
【補正対象書類名】明細書
【補正対象項目名】００３２
【補正方法】変更
【補正の内容】
【００３２】
ネットワーク１００における通信は、任意の適切な規格に準拠してもよく、ここでの規格は、モバイル通信用グローバルシステム（ＧＳＭ：Ｇｌｏｂａｌ  Ｓｙｓｔｅｍ  ｆｏｒ  Ｍｏｂｉｌｅ）、ロングタームエボリューション（ＬＴＥ：Ｌｏｎｇ  Ｔｅｒｍ  Ｅｖｏｌｕｔｉｏｎ）、ＬＴＥエボリューション、ＬＴＥアドバンスト（ＬＴＥ−Ａ：ＬＴＥ−Ａｄｖａｎｃｅｄ）、広帯域符号分割多重アクセス（ＷＣＤＭＡ（登録商標）：Ｗｉｄｅｂａｎｄ  Ｃｏｄｅ  Ｄｉｖｉｓｉｏｎ  Ｍｕｌｔｉｐｌｅ  Ａｃｃｅｓｓ）、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）、ＧＥＲＡＮ（ＧＳＭ  ＥＤＧＥ  Ｒａｄｉｏ  Ａｃｃｅｓｓ  Ｎｅｔｗｏｒｋ）などを含むが、これらに限定されない。さらに、通信は、現在知られている、又は将来に開発される任意の世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが含まれるが、これらに限定されない。
【国際調査報告】
2021519551.tif 000010
2021519551.tif 000011